(57)【特許請求の範囲】
【請求項１】
方形の合成樹脂成形品からなる複数の同一形状の蓋パネル（４）と、金属製フレーム本体（２１）及び金属製フレーム桁材本体（３１）並びに蓋パネル（４）の押さえ部材（２２，３２）とからなる処理槽用覆蓋（１）であって、前記蓋パネル（４）を、複数の金属製フレーム桁材本体（３１）を等間隔に配設することによって、平行に配設されたアーチ形状の金属製フレーム本体（２１）に、蓋パネル（４）の平坦に形成した周縁（４１）を金属製フレーム本体（２１）と押さえ部材（２２）との間及び金属製フレーム桁材本体（３１）と押さえ部材（３２）との間で挟持することによって、一列に固定して、アーチ形状をした覆蓋の単位ユニットを形成するとともに、該覆蓋の単位ユニットを複数並設することにより、処理槽の上方を覆うようにしたことを特徴とする処理槽用覆蓋。
【請求項２】
前記蓋パネル（４）を、中央部に凹凸を形成するとともに、その周縁（４１）を平坦に形成した合成樹脂成形品を以て構成したことを特徴とする請求項１記載の処理槽用覆蓋。
【請求項３】
覆蓋の単位ユニットを単独で、又は複数連結し、下端に車輪（１９）を配設して、処理槽（１０）の周壁（１１）の上面に敷設したみぞ形鋼からなる平行レール（１７）上を移動可能にしたことを特徴とする請求項１又は２記載の処理槽用覆蓋。
【発明の詳細な説明】
【０００１】
【発明の属する技術分野】
本発明は、上水道の水処理施設等に設けられる各種処理槽の上方を恒久的に覆うために用いられる処理槽用覆蓋に関するものである。
【０００２】
【従来の技術】
従来、例えば、上水道の水処理施設においては、原水に凝集剤を添加して凝集・沈澱処理した後、この処理水をオゾン処理し、さらに活性炭処理及び砂濾過処理する処理方法等が採用されており、これらの処理は、それぞれ専用の処理槽において行うようにしている。
【０００３】
ところで、これらの処理を行う処理槽は、通常、上方を解放したままのものが多く用いられており、このため、大気中の塵埃が処理槽内に侵入したり、処理槽内に太陽光が直接照射されることによって藻類が大量に発生することにより、処理水の処理工程に支障が生じたり、処理水の品質が低下するという問題があり、さらに、外部からの侵入者に対する保安面等の安全対策の点等においても問題があった。
【０００４】
【発明が解決しようとする課題】
これらの問題に対処するため、金属製又は合成樹脂製の覆蓋により処理槽の上方を覆う試みもなされているが、これらの処理槽は広大であるとともに、形状も様々であり、また、劣悪な設置環境に置かれるため、これらの条件に対応することができる処理槽用覆蓋が要請されていた。
【０００５】
本発明は、上記の要請に鑑み、強度的に優れ、かつ、形状の自由度が大きく、また、設置作業及び保守作業を容易に行うことができる処理槽用覆蓋を提供することを目的とする。
【０００６】
【課題を解決するための手段】
上記目的を達成するため、本発明の処理槽用覆蓋は、方形の合成樹脂成形品からなる複数の同一形状の蓋パネルと、金属製フレーム本体及び金属製フレーム桁材本体並びに蓋パネルの押さえ部材とからなる処理槽用覆蓋であって、前記蓋パネルを、複数の金属製フレーム桁材本体を等間隔に配設することによって、平行に配設されたアーチ形状の金属製フレーム本体に、蓋パネルの平坦に形成した周縁を金属製フレーム本体と押さえ部材との間及び金属製フレーム桁材本体と押さえ部材との間で挟持することによって、一列に固定して、アーチ形状をした覆蓋の単位ユニットを形成するとともに、該覆蓋の単位ユニットを複数並設することにより、処理槽の上方を覆うようにしたことを特徴とする。
【０００７】
この場合において、前記蓋パネルを、中央部に凹凸を形成するとともに、その周縁を平坦に形成した合成樹脂成形品を以て構成することができる。
【０００８】
また、覆蓋の単位ユニットを単独で、又は複数連結し、下端に車輪を配設して、処理槽の周壁の上面に敷設したみぞ形鋼からなる平行レール上を移動可能にする構成することができる。
【０００９】
本発明の処理槽用覆蓋は、方形の合成樹脂成形品からなる複数の同一形状の蓋パネルと、金属製フレーム本体及び金属製フレーム桁材本体並びに蓋パネルの押さえ部材とからなる処理槽用覆蓋であって、前記蓋パネルを、複数の金属製フレーム桁材本体を等間隔に配設することによって、平行に配設されたアーチ形状の金属製フレーム本体に、蓋パネルの平坦に形成した周縁を金属製フレーム本体と押さえ部材との間及び金属製フレーム桁材本体と押さえ部材との間で挟持することによって、一列に固定して、アーチ形状をした覆蓋の単位ユニットを形成するとともに、該覆蓋の単位ユニットを複数並設することにより、処理槽の上方を覆うようにしたことから、強度的に優れており、また、形状の自由度が大きく、さらに、設置作業及び保守作業を容易に行うことができるものとなる。
【００１０】
特に、アルミニウム製の押出成形品を以てフレームを構成するとともに、ポリカーボネート製の合成樹脂成形品を以て蓋パネルを構成することにより、軽量で、強度的に優れた覆蓋の単位ユニットを得ることができる。
また、隣接する覆蓋の単位ユニット間でアーチ形状の金属製フレームを共用することにより、処理槽用覆蓋の製造コストを低廉にすることができる。
また、覆蓋の単位ユニットを単独で、又は複数連結して、処理槽の上を移動可能に配設することにより、必要に応じて、処理槽の上方を開放することができる。
【００１１】
【発明の実施の形態】
以下、本発明の処理槽用覆蓋の実施の形態を図面に基づいて説明する。
【００１２】
図１〜図４は、本発明の処理槽用覆蓋の一実施例を示す。
この処理槽１０は、上水道の水処理施設に設けられるもので、本実施例のものにおいては、４ｍ×４．７ｍの長方形をしており、その上方を処理槽用覆蓋１により覆うようにしている。
【００１３】
この処理槽用覆蓋１は、複数の金属製フレーム桁材３を等間隔に配設して平行に形成したアーチ形状の金属製フレーム２に、方形の合成樹脂成形品からなる複数の蓋パネル４を一列に固定して、アーチ形状をした覆蓋の単位ユニットを形成し、この覆蓋の単位ユニットを複数並設することにより、処理槽１０の上方を覆うものである。
【００１４】
アーチ形状に形成する金属製フレーム２及びこの金属製フレーム２に等間隔に配設する金属製フレーム桁材３は、特に限定されるものではないが、錆等に対する耐久性及び軽量化の点で、アルミニウム製の押出成形品を以て構成することが好ましく、さらに具体的には、中空の角材からなる金属製フレーム本体２１及び金属製フレーム桁材本体３１と、蓋パネル４の周縁４１を金属製フレーム本体２１又は金属製フレーム桁材本体３１との間で挟持し、固定する押さえ部材２２，３２とから、それぞれ構成するようにしている。
この場合において、アーチ形状に形成する金属製フレーム２の曲率半径Ｒは、処理槽用覆蓋１に必要とされる強度等に応じて任意に設定することができ、例えば、覆蓋の単位ユニットが架け渡される処理槽１０の幅Ｌの０．７〜１．３倍、さらに好ましくは、０．９〜１．１倍に設定することが望ましい（本実施例においては、処理槽１０の幅Ｌ＝４ｍに対して、金属製フレーム２の曲率半径Ｒ＝４．２ｍに設定している。）。
なお、金属製フレーム２及び金属製フレーム桁材３は、アルミニウム製の押出成形品のほか、防錆処理した鋼材、ステンレス鋼材等で構成することができる。
【００１５】
方形の合成樹脂成形品からなる複数の蓋パネル４は、特に限定されるものではないが、耐久性及び軽量化の点で、ポリカーボネート製の合成樹脂成形品を以て構成することが好ましく、さらに具体的には、強度を増すために中央部に凹凸を形成するとともに、その周縁４１を平坦に形成し、この周縁４１を金属製フレーム本体２１と押さえ部材２２との間、及び金属製フレーム桁材本体３１と押さえ部材３２との間で挟持し、固定するようにする。
この場合において、蓋パネル４は、処理槽１０内に太陽光が直接照射されることによって藻類が大量に発生することを防止するとともに、管理者が処理槽１０内を目視により確認することができるように、４５０ｎｍ以下及び６００ｎｍ以上の波長の可視光が吸収される緑色の透光性を有する合成樹脂を以て構成することが望ましい。
また、方形の合成樹脂成形品からなる複数の蓋パネル４の大きさ及び厚みは、処理槽用覆蓋１に必要とされる強度、組立時の作業性等に応じて任意に設定することができ、例えば、３ｍｍ厚のポリカーボネート製の合成樹脂成形品の場合、１０００ｍｍ×１０００ｍｍ程度の正方形又は８００ｍｍ×１１００ｍｍ程度の長方形に形成することが望ましい。
【００１６】
そして、上記のように構成した金属製フレーム２、金属製フレーム桁材３及び蓋パネル４を、工場又は施工現場において、覆蓋の単位ユニットに組み立てるが、その際、まず、金属製フレーム本体２１及び金属製フレーム桁材３１をジョイント金具１２及びネジ１２ａを使用して組み立てた後、複数の蓋パネル４を一列に配置して、蓋パネル４の周縁４１を、金属製フレーム本体２１と押さえ部材２２との間、及び金属製フレーム桁材本体３１と押さえ部材３２との間で挟持し、ネジ１３により固定するようにする。
なお、必要に応じて、金属製フレーム本体２１又は金属製フレーム桁材本体３１と蓋パネル４の周縁４１との間、押さえ部材２２，３２と蓋パネル４の周縁４１との間等、各部材の間にクロロプレンゴム発泡体等からなるシール部材１４を配設することができる。
【００１７】
このようにして形成したアーチ形状をした覆蓋の単位ユニットを、複数、処理槽１０の周壁１１の上面に固定手段５を用いて並設、固定することにより、処理槽１０の上方全面を覆うようにする。
この場合において、覆蓋の単位ユニットの固定手段５は、特に限定されるものではないが、予め処理槽１０の周壁１１の上面にアンカー５１を植設しておき、このアンカー５１に固定したベースプレート５２を介して、ボルト・ナット５３により覆蓋の単位ユニットの金属製フレーム桁材本体３１を固定するように構成することができる。
なお、必要に応じて、処理槽１０の周壁１１の上面とベースプレート５２の間等、各部材の間にクロロプレンゴム発泡体等からなるシール部材５４を配設することができる。
また、必要に応じて、固定手段５の開口部を覆うために、合成樹脂製又は金属製のカバー部材５５を設けることができる。
【００１８】
なお、このようにして組み立てた処理槽用覆蓋の両端の開口部を覆うために、合成樹脂製又は金属製のカバー部材６を設けることが望ましい。
また、必要に応じて、隣接する覆蓋の単位ユニット間、すなわち、隣接する単位ユニットの金属製フレーム本体２１の間隙にクロロプレンゴム発泡体、シリコーンゴム等からなるシール部材１５を配設することができる。
【００１９】
ところで、上記実施例においては、複数の金属製フレーム桁材３を等間隔に配設して平行に形成したアーチ形状の金属製フレーム２に、方形の合成樹脂成形品からなる複数の蓋パネル４を一列に固定して、アーチ形状をした覆蓋の単位ユニットを形成するようにしたが、図５に示す本発明の処理槽用覆蓋の変形例のように、隣接する覆蓋の単位ユニット間でアーチ形状の金属製フレーム２を共用することもでき、これにより、処理槽用覆蓋１の製造コストを低廉にすることができる。
【００２０】
また、複数のアーチ形状をした覆蓋の単位ユニットを用いて、処理槽１０の上方全面を覆う場合、必ずしも、複数の覆蓋の単位ユニットを処理槽１０の周壁１１の上面に固定手段５を用いて強固に固定する必要はなく、図６に示す本発明の処理槽用覆蓋の変形例のように、覆蓋の単位ユニットを単独で、又は複数連結して構成した覆蓋１ａ，１ｂを、処理槽１０の周壁１１の上を移動可能に配設することにより、処理槽１０の上方全面を覆うようにすることもできる。
この場合において、覆蓋１ａ，１ｂの移動手段としては、特に限定されるものではないが、予め処理槽１０の周壁１１の上面にアンカー１８を植設しておき、このアンカー１８に固定したみぞ形鋼からなる平行レール１７上を、下端に車輪１９を配設した覆蓋１ａ，１ｂが移動するように構成することができる。
このように、平行レール１７上を、下端に車輪１９を配設した覆蓋１ａ，１ｂが移動するように構成する場合、覆蓋を、２つのグループ、すなわち、外側のレール１７ａを移動する覆蓋１ａと、内側のレール１７ｂを移動する覆蓋１ｂとに、略等分割して配置するようにする。これにより、処理槽１０のいずれか一方側に覆蓋１ａ，１ｂを移動させて、処理槽１０の上方の略半分を開放することができるものとなる。
【００２１】
上記実施例は、いずれも、かなり大きな処理槽（４ｍ×４．７ｍ）のための覆蓋について説明したが、この処理槽用覆蓋に用いた蓋パネル４は、１０００ｍｍ×１０００ｍｍ程度の正方形又は８００ｍｍ×１１００ｍｍ程度の長方形の方形に形成されているため、汎用性を有し、上記実施例のものより大きな処理槽や小さな処理槽にも、容易に対応することができる。
【００２２】
なお、極めて小さな処理槽や水路等（以下、単に「処理槽」という。）の上方を覆うための覆蓋の場合には、図７〜図８に示すように、複数の金属製フレーム桁材８を等間隔に配設して平行に形成した金属製フレーム７に、方形の合成樹脂成形品からなる複数の蓋パネル４を一列に固定して、覆蓋１ｃを形成し、この覆蓋１ｃにより、極めて小さな処理槽１０の上方を覆うようにすることができる。
この場合も、上記実施例と同様、金属製フレーム７、金属製フレーム桁材８及び蓋パネル４を、工場又は現場において組み立てるが、その際、まず、金属製フレーム本体７１及び金属製フレーム桁材８１をジョイント金具（図示省略）を使用して組み立てた後、複数の蓋パネル４を一列に配置して、蓋パネル４の周縁４１を、金属製フレーム本体７１と押さえ部材７２との間、及び金属製フレーム桁材本体８１と押さえ部材８２との間で挟持し、ボルト・ナット１６により固定するようにする。
なお、必要に応じて、金属製フレーム本体７１又は金属製フレーム桁材本体８１と蓋パネル４の周縁４１との間、押さえ部材７２，８２と蓋パネル４の周縁４１との間等、各部材の間にクロロプレンゴム発泡体等からなるシール部材１７を配設することができる。
このようにして形成した覆蓋１ｃを処理槽１０の周壁１１の上面に固定手段９を用いて並設、固定することにより、処理槽１０の上方全面を覆うようする。
この場合において、覆蓋１ｃの固定手段９は、特に限定されるものではないが、予め処理槽１０の周壁１１の上面にアンカー９１を植設しておき、このアンカー９１に覆蓋１ｃの金属製フレーム桁材本体８１を固定するように構成することができる。
なお、必要に応じて、処理槽１０の周壁１１の上面と金属製フレーム桁材本体８１の間等、各部材の間にクロロプレンゴム発泡体等からなるシール部材９２を配設することができる。
【００２３】
【発明の効果】
本発明の処理槽用覆蓋によれば、方形の合成樹脂成形品からなる複数の同一形状の蓋パネルと、金属製フレーム本体及び金属製フレーム桁材本体並びに蓋パネルの押さえ部材とからなる処理槽用覆蓋であって、前記蓋パネルを、複数の金属製フレーム桁材本体を等間隔に配設することによって、平行に配設されたアーチ形状の金属製フレーム本体に、蓋パネルの平坦に形成した周縁を金属製フレーム本体と押さえ部材との間及び金属製フレーム桁材本体と押さえ部材との間で挟持することによって、一列に固定して、アーチ形状をした覆蓋の単位ユニットを形成するとともに、該覆蓋の単位ユニットを複数並設することにより、処理槽の上方を覆うようにしたことから、強度的に優れており、また、形状の自由度が大きく、さらに、設置作業及び保守作業を容易に行うことができるものとなる。
【００２４】
また、蓋パネルを、中央部に凹凸を形成するとともに、その周縁を平坦に形成した合成樹脂成形品を以て構成することにより、軽量で、強度的に優れた覆蓋の単位ユニットを得ることができ、これによって、設置作業等をより容易に行うことができるものとなる。
【００２５】
また、覆蓋の単位ユニットを単独で、又は複数連結し、下端に車輪を配設して、処理槽の周壁の上面に敷設したみぞ形鋼からなる平行レール上を移動可能にすることにより、必要に応じて、処理槽の上方を開放することができ、これによって、処理槽の保守作業を容易に行うことができるものとなる。
【図面の簡単な説明】
【図１】  本発明の処理槽用覆蓋の一実施例を示し、（ａ）は平面図、（ｂ）は（ａ）のＡ−Ａ線の断面図である。
【図２】  （ａ）は図１（ａ）のＢ−Ｂ線の断面図、（ｂ）は（ａ）のＤ部の拡大図である。
【図３】  図１（ｂ）のＣ部の拡大図である。
【図４】  本発明の処理槽用覆蓋の単位ユニットを示し、（ａ）は平面図、（ｂ）は側面図、（ｃ）は（ａ）のＥ部の拡大図、（ｄ）は（ｃ）のＦ−Ｆ線の断面図である。
【図５】  本発明の処理槽用覆蓋の変形例を示し、（ａ）は図２（ａ）に対応する断面図、（ｂ）は（ａ）のＧ部の拡大図である。
【図６】  本発明の処理槽用覆蓋の変形例の図３に対応する拡大図である。
【図７】  蓋パネルの他の使用例を示し、（ａ）は平面図、（ｂ）（ａ）のＨ−Ｈ線の断面図、（Ｃ）（ａ）のＩ−Ｉ線の断面図である。
【図８】  図７（ｂ）のＪ部の拡大図である。
【符号の説明】
１  処理槽用覆蓋
２  金属製フレーム
２１  金属製フレーム本体
２２  押さえ部材
３  金属製フレーム桁材
３１  金属製フレーム桁材本体
３２  押さえ部材
４  蓋パネル
４１  周縁
５  固定手段
１０  処理槽
１１  周壁
１７  平行レール
１９  車輪
【図１】
0004104684.tif 000002
【図２】
0004104684.tif 000003
【図３】
0004104684.tif 000004
【図４】
0004104684.tif 000005
【図５】
0004104684.tif 000006
【図６】
0004104684.tif 000007
【図７】
0004104684.tif 000008
【図８】
0004104684.tif 000009